(57)【要約】      （修正有）【課題】施工が簡単で栽培規模に合わせた大きさの異なる槽をそれぞれ組み立て易く、耐久性に優れた植物栽培槽を提供する。【解決手段】矩形状の底板２Ａと、底板の対向する２つの端縁側に立設されたコーナー壁２Ｂと、これらコーナー壁に隣接する底板の一側端縁に立設された端部壁を備え、底板の他側端縁に接合部２Ｄが形成されてなる２つの端部ユニット２と、隣接された端部ユニットの接合部下面側どうしと接合部側面側どうしに被着される接合片４を備え、２つの端部ユニットが接合部どうしを対向させて突き合わされ、相互に隣接されたユニットの接合部どうしがこれらの接合部下面側と接合部側面側に被着し接着された接合片により一体化されてなり、一方の端部ユニットの一部に排水口が形成されたことを特徴とする。【選択図】図２
0003188170.tif 000002
【実用新案登録請求の範囲】
【請求項１】
矩形状の底板と、該底板の対向する２つの端縁側に立設されたコーナー壁と、これらコーナー壁に隣接する底板の一側端縁に立設された端部壁を備え、前記底板の他側端縁に接合部が形成されてなる２つの端部ユニットと、
隣接された前記端部ユニットの接合部下面側どうしと接合部側面側どうしに被着される接合片を備え、
前記２つの端部ユニットが接合部どうしを対向させて突き合わされ、相互に隣接された前記ユニットの接合部どうしがこれらの接合部下面側と接合部側面側に被着し接着された前記接合片により一体化されてなり、
前記一方の端部ユニットの一部に排水口が形成された植物栽培槽。
【請求項２】
矩形状の底板と、該底板の対向する２つの端縁側に立設されたコーナー壁と、これらコーナー壁に隣接する底板の一側端縁に立設された端部壁を備え、前記底板の他側端縁に接合部が形成されてなる２つの端部ユニットと、
これら２つの端部ユニット間に１枚または複数枚接合され、矩形状の底板と、該底板の対向する２つの端縁側に立設された接続壁を備え、前記底板の他の対向する２つの端縁側に接合部を備えた１つまたは複数の接続ユニットと、
隣接された前記ユニットの接合部下面側どうしと接合部側面側どうしに被着される接合片を備え、
前記接合部どうしを対向させて離間配置した前記２つの端部ユニット間に、前記１つまたは複数の接続ユニットが、各接続ユニットの接続壁を前記端部ユニットのコーナー壁と同一直線上に配置し、前記各ユニットどうしの接合部を突き合わせて配置され、
相互に隣接された前記ユニットの接合部どうしがこれらの接合部下面側と接合部側面側に被着し接着された前記接合片により一体化されてなり、
前記一方の端部ユニットの一部に排水口が形成された植物栽培槽。
【請求項３】
前記ユニットと前記接合片が不透明樹脂材料からなる請求項１または請求項２に記載の植物栽培槽。
【請求項４】
前記端部ユニットのコーナー壁上部側と前記接続ユニットの接続壁上部側に栽培容器棚支持用のフランジ部が形成された請求項１〜請求項３のいずれか一項に記載の植物栽培槽。
【請求項５】
前記接合片が前記ユニットの底板側に接着される継板部と、前記コーナー壁または前記接続壁の外面側に接着される側壁部と、該側壁部の上部側に形成されて前記フランジ部外面側に接着されるフランジ部とからなる請求項１〜請求項４のいずれか一項に記載の植物栽培槽。
【請求項６】
前記端部ユニットと前記接続ユニットと前記接合片が樹脂を成型材料として用いた真空成型により作成され、前記端部ユニットと前記接続ユニットと前記接合片の表面側が成形時の金型面側に配置された平滑面とされ、前記端部ユニットと前記接続ユニットと前記接合片の裏面側が梨地面とされた請求項１〜請求項５のいずれか一項に記載の植物栽培槽。
【請求項７】
前記端部ユニットと前記接続ユニットの突合せ部分に形成された隙間部が樹脂製の防水層により閉塞された請求項１〜請求項６のいずれか一項に記載の植物栽培槽。
【請求項８】
前記端部ユニットの底板あるいは前記接続ユニットの底板にこれらユニットの接続方向に延在する補強リブが複数形成された請求項１〜請求項７のいずれか一項に記載の植物栽培槽。
【請求項９】
前記両端部壁の高さ方向中間位置に水位の目安となる印が形成された請求項１〜請求項８のいずれか一項に記載の植物栽培槽。
【請求項１０】
前記端部ユニットの底板あるいは前記接続ユニットの底板が上に凸の形状とされ、栽培液収容時の水圧により前記底板を平坦とする形状とされた請求項１〜請求項９のいずれか一項に記載の植物栽培槽。
【考案の詳細な説明】
【技術分野】
【０００１】
本考案は、植物工場等に植物育成用として設けられる栽培槽に関する。
【背景技術】
【０００２】
従来、植物工場においてレタス等の野菜を水耕栽培する設備が提案されている。例えば、建屋などの閉鎖空間内にＬＥＤ（Light Emitting Diode）照明装置を設け、温度、湿度、照明条件などの栽培環境を人工的にコントロールしながら、植物の育成に好適な環境を構築し、品質の良い野菜を栽培する設備が提供されている。
この種の植物栽培システムの一例として、栽培槽と給水槽と肥料タンクとＣＯ２タンクと光源とエアコンとファンとＣＯ２センサ並びに各種センサを備えたレタス栽培システムが知られている（特許文献１参照）。
【０００３】
特許文献１に記載されたレタス栽培システムは、水を貯留した栽培槽にポンプを介し給水槽と肥料槽を接続し、栽培槽と給水槽の水を循環させながら、肥料槽から必要量の肥料を循環水に供給し、栽培槽で育成されているレタスに必要な養分を供給できる構成としている。また栽培槽の近傍に、湿度センサに接続させた除湿器と、温度センサに接続させたエアコンと、ＣＯ２センサに接続したＣＯ２タンクを設け、湿度と温度と気流並びにＣＯ２濃度の調節などを行って、レタスの育成に望ましい環境を構築しながら、レタスの栽培ができるように構成されている。
【先行技術文献】
【特許文献】
【０００４】
【特許文献１】特開２０１３−１１１０７３号公報
【考案の概要】
【考案が解決しようとする課題】
【０００５】
この種の植物工場に適用されている栽培槽は、一般的に樹脂の成形体からなる水槽が適用されているが、植物工場はその生産規模、設置環境等が個別に異なるので、栽培槽の大きさも種々多様であり、植物工場の規模に応じて大きさの異なる栽培槽が必要とされる。
このため、植物工場の規模に合わせて多様な大きさの栽培槽を設置する必要があるので、多様な大きさに適用することができ、簡単に施工できて耐久性に優れる水槽が求められていた。
また、植物の人工栽培は工場などの建家内に限らず、ビニールハウスなどの簡易設備においてもなされており、ビニールハウスの大きさや栽培規模等に応じて多様な大きさの栽培槽が求められることがあった。
【０００６】
本考案は上記事情に鑑みてなされたものであり、施工が簡単で栽培規模に合わせた大きさの異なる槽をそれぞれ組み立て易く、耐久性に優れた植物栽培槽を提供することを目的とする。
【課題を解決するための手段】
【０００７】
（１）上記課題を解決するため、本考案は、矩形状の底板と、該底板の対向する２つの端縁側に立設されたコーナー壁と、これらコーナー壁に隣接する底板の一側端縁に立設された端部壁を備え、前記底板の他側端縁に接合部が形成されてなる２つの端部ユニットと、隣接された前記端部ユニットの接合部下面側どうしと接合部側面側どうしに被着される接合片を備え、前記２つの端部ユニットが接合部どうしを対向させて突き合わされ、相互に隣接された前記ユニットの接合部どうしがこれらの接合部下面側と接合部側面側に被着し接着された前記接合片により一体化されてなり、前記一方の端部ユニットの一部に排水口が形成されたことを特徴とする。
（２）上記課題を解決するため、本考案は、矩形状の底板と、該底板の対向する２つの端縁側に立設されたコーナー壁と、これらコーナー壁に隣接する底板の一側端縁に立設された端部壁を備え、前記底板の他側端縁に接合部が形成されてなる２つの端部ユニットと、これら２つの端部ユニット間に１枚または複数枚接合され、矩形状の底板と、該底板の対向する２つの端縁側に立設された接続壁を備え、前記底板の他の対向する２つの端縁側に接合部を備えた１つまたは複数の接続ユニットと、隣接された前記ユニットの接合部下面側どうしと接合部側面側どうしに被着される接合片を備え、前記接合部どうしを対向させて離間配置した前記２つの端部ユニット間に、前記１つまたは複数の接続ユニットが、各接続ユニットの接続壁を前記端部ユニットのコーナー壁と同一直線上に配置し、前記各ユニットどうしの接合部を突き合わせて配置され、相互に隣接された前記ユニットの接合部どうしがこれらの接合部下面側と接合部側面側に被着し接着された前記接合片により一体化されてなり、前記一方の端部ユニットの一部に排水口が形成されたことを特徴とする。
【０００８】
（３）本考案において、前記ユニットと前記接合片が不透明樹脂材料からなることが好ましい。
（４）本考案において、前記端部ユニットのコーナー壁上部側と前記接続ユニットの接続壁上部側に栽培容器棚支持用のフランジ部が形成された構成を採用できる。
（５）本考案において、前記接合片が前記ユニットの底板側に接着される継板部と、前記コーナー壁または前記接続壁の外面側に接着される側壁部と、該側壁部の上部側に形成されて前記フランジ部外面側に接着されるフランジ部とからなることが好ましい。
（６）本考案において、前記端部ユニットと前記接続ユニットと前記接合片が樹脂を成型材料として用いた真空成型により作成され、前記端部ユニットと前記接続ユニットと前記接合片の表面側が成形時の金型面側に配置された平滑面とされ、前記端部ユニットと前記接続ユニットと前記接合片の裏面側が梨地面とされた構成が好ましい。
【０００９】
（７）本考案において、前記端部ユニットと前記接続ユニットの突合せ部分に形成された隙間部が樹脂製の防水層により閉塞された構成が好ましい。
（８）本考案において、前記端部ユニットの底板あるいは前記接続ユニットの底板にこれらユニットの接続方向に延在する補強リブが複数形成された構成が好ましい。
（９）本考案において、前記両端部壁の高さ方向中間位置に水位の目安となる印が形成された構成が好ましい。
（１０）本考案において、前記端部ユニットの底板あるいは前記接続ユニットの底板が上に凸の形状とされ、栽培液収容時の水圧により前記底板を平坦とする形状とされた構成が好ましい。
【考案の効果】
【００１０】
本考案によれば、２つの端部ユニットを隣接配置するか、あるいは、離間させて設けた２つの端部ユニットとそれらの間に配置される１つまたは複数の接続ユニットを有し、各ユニット間の接合部を接合片により接着した植物栽培槽であるため、２つの端部ユニットの接合とするか、あるいは、接続ユニットを設置する数に合わせた接合とするかにより、植物栽培槽としての規模を自在に調整できる。また、端部ユニットの長さと幅、接続ユニットの設置数と長さと幅を適宜選択することにより、植物栽培槽としての規模を自在に調整できる。
このため、植物工場等の設置場所に要求される規模に合わせた任意の大きさの植物栽培槽を容易に提供できる。また、２つの端部ユニットの間あるいは接続ユニットの接合部に接合片を接着するだけで植物栽培槽として組み立てができるので、組み立てと設置が容易にできる特徴を有する。
一方の端部ユニットに設けた排水口を利用し、槽内に収容した栽培液を排出できるので、栽培液を回収して再利用するなど、栽培液の循環利用ができる構成に対応できる。
【００１１】
本考案によれば、端部ユニットと接続ユニットと接合片をいずれも不透明樹脂材料の成型体から構成することにより、植物を育成する光を槽内側に導入しないように遮ることができるので、槽内側において藻などの不要な植物の生成を抑制でき、槽内の清掃が簡単にできるという特徴を有する。
端部ユニットのコーナー壁上部と接続ユニットの接続壁上部にフランジ部を設けているので、植物栽培槽として組み立てた状態においてこれらのフランジ部を繋げてフランジ部の上に植物栽培容器棚を安定支持できる。
【００１２】
端部ユニットと接続ユニットを樹脂の真空成型により形成し、それらのユニットの表面側を平滑面とすることで、端部ユニットの底板と接続ユニットの底板並びに側壁部の内面側を平滑面にすることとなり、栽培液を収容する側を平滑面として清掃が容易で取り扱いの容易な植物栽培槽を提供できる。
端部ユニットと接続ユニットの接続部分の隙間部を樹脂製の防水層により塞いでいるので、端部ユニットと接続ユニットの接続部分における防水性が高く、収容した栽培液が接合部分から漏れるおそれもない。
【００１３】
端部ユニットの底板と接続ユニットの底板に補強リブを複数設けているので、栽培液を収容して水圧が作用しても底板の変形を生じ難く、強度の高い植物栽培槽を提供できる。
端部ユニットの端部壁高さ方向中間部に水位の目安となる印を設けることで、植物栽培槽に栽培液を収容する場合の水量の目安となり、印の位置と水位の位置を容易に確認することができ、収容した栽培液の水量管理が容易にできる。
また本考案の栽培槽は、栽培槽に栽培液を収容しない状態において栽培槽の底板を上に凸の形状とし、そして栽培槽に栽培液を収容し底板に水圧が加わった状態において栽培槽の底板を平坦とすることで、栽培槽の底板が水圧で下に凸に変形することを防ぎ、より安定した植物栽培環境を提供することが可能となる。
【図面の簡単な説明】
【００１４】
【図１】本考案に係る第１実施形態の栽培槽を示すもので、図１（Ａ）は平面図、図１（Ｂ）は側面図、図１（Ｃ）は正面図。
【図２】同栽培槽の部分拡大図。
【図３】同栽培槽の一部を構成する端部ユニットを示すもので、図３（Ａ）は平面図、図３（Ｂ）は左側面図、図３（Ｃ）は右側面図。
【図４】同栽培槽の一部を構成する端部ユニットの部分断面を示すもので、図４（Ａ）は端部壁の部分断面図、図４（Ｂ）は底板の部分断面図。
【図５】同栽培槽の一部を構成する接続ユニットを示す平面図。
【図６】同栽培槽の一部を構成する接合片を示す斜視図。
【図７】同栽培槽の一部を拡大して示す図。
【図８】同栽培槽を備えた植物育成装置の一例を示す斜視図。
【考案を実施するための形態】
【００１５】
以下、図面を参照しながら、本考案の第１実施形態について詳細に説明する。
図１〜図５は本考案の第１実施形態に係る植物育成用の植物栽培槽を示すもので、この実施形態の栽培槽１は、図１（Ａ）に示すように両側に配置された浅底型の端部ユニット２と、これら端部ユニット２、２の間に配列された３つの浅底型の接続ユニット３から構成されている。
これらのユニット２、３はいずれもＡＢＳ樹脂などの不透明樹脂材料により一体成型されたトレー型に形成され、隣接する端部ユニット２と接続ユニット３との接合は図２に示すようにこれらの裏面側に接着された接合片４によりなされ、隣接する接続ユニット３どうしの接合も同様に他の接合片４によりなされている。これら接合片４もＡＢＳ樹脂などの不透明樹脂材料により一体成型されている。例えば、ＡＢＳ樹脂を用いて、真空成型により端部ユニット２、接続ユニット３、接合片４を形成できるが、この場合、これらの上面側を光沢のある平滑面とすることができ、これらの裏面側を艶消しの梨地面にできる。
【００１６】
端部ユニット２は、図３（Ａ）に示すように、横長の長方形状の底板２Ａと、この底板２Ａの２つの長辺側端縁に一体的に立設された背の低いコーナー壁２Ｂと、底板２Ａの一方の短辺側端縁に一体的に立設された背の低い端部壁２Ｃと、底板２Ａの他方の短辺側に底板２Ａを延長するように形成された接合部２Ｄからなる。
【００１７】
底板２Ａに対し、コーナー壁２Ｂと端部壁２Ｃはいずれも９０°より若干大きな角度で底板２Ａの外側に広がるように傾斜され、コーナー壁２Ｂの上部側には段部２ｅを備えた外向きのフランジ部２ｆが形成されている。底板２Ａの相対向する長辺側にそれぞれコーナー壁２Ｂが形成されているので、コーナー壁２Ｂ、２Ｂの上部側に位置している段部２ｅに掛け渡すようにそれらの上に植物育成用の栽培容器棚を設置できる。
【００１８】
端部壁２Ｃにおいて、その幅方向中央部と両端部側にそれぞれ端部壁２Ｃの高さ方向中央部（中間部）に位置するように水位の目安となる横長の凸部２ｇが形成されている。これらの凸部２ｇは、本実施形態では図４（Ａ）に断面構造を示すように端部壁２Ｃの内側に横長の突条型に突出形成され、端部壁２Ｃに凸部２ｇを形成することにより端部壁２Ｃの外側にスリット状の凹部２ｄが形成されている。
図３（Ａ）に示すように底板２Ａの内側には、底板２Ａの長辺と平行に補強リブ２ｈが９本、等間隔で形成されている。これらの補強リブ２ｈは、図４（Ｂ）に断面構造を示すように底板２Ａの上面側に所定幅で突出するように形成され、底板２Ａの長辺よりも若干短く形成されている。なお、本考案の補強リブは植物栽培槽の清掃を容易とするため、なだらかな断面形状とするのが好ましい。
【００１９】
接合部２Ｄは、底板２Ａの他方の短辺側に段部２ｉを介し底板２Ａよりも底板２Ａの厚さ相当分、１段高い位置となるように形成された帯板状の接合板２ｊを有している。また、この接合板２ｊとコーナー壁２Ｂの交わる部分にはコーナー壁２Ｂとフランジ部２ｆの形を維持したまま延出形成された接合壁２ｋが、接合板２ｊと一体に形成されている。
図３（Ａ）に示す本実施形態の端部ユニット２は、一般的な植物工場で使用することを想定し、その大きさの一例として、横の長さ（長辺側の長さ）１〜３ｍ程度、幅（縦幅、短辺側の長さ）０．５０〜１ｍ程度、端部壁２Ｃの高さ５〜１０ｃｍ程度、板厚３〜６ｍｍ程度に形成されるが、長さや幅、高さ、板厚はこれらの範囲に限らず、必要に応じて適宜変更することができる。
また、底板２Ａの端部壁２Ｃ側の幅方向（図３（Ａ）の短辺方向）中央部であって補強リブ２ｈと干渉しない位置に排水口５が形成されている。この排水口５を形成する位置は、底板２Ａの幅方向中央部に限らず底板２Ａの幅方向端部側であっても良い。
【００２０】
接続ユニット３は、図５に示すように、横長の長方形状の底板３Ａと、この底板３Ａの長辺側端縁に一体的に立設された背の低い接続壁３Ｂ、３Ｂと、底板３Ａの両方の短辺側に底板３Ａと接続壁３Ｂを延長するように形成された接合部３Ｄからなる。
底板３Ａに対し、接続壁３Ｂは９０°より若干大きな角度で底板３Ａの外側に広がるように傾斜され、接続壁３Ｂの上部側には段部３ｅを備えた外向きのフランジ部３ｆが形成されている。
底板３Ａの相対向する長辺側にそれぞれ接続壁３Ｂが形成されているので、接続壁３Ｂ、３Ｂの段部３ｅに掛け渡すように植物育成用の栽培容器棚を設置できる。接続壁３Ｂの高さ、傾斜角度、板厚、段部３ｅの形状、フランジ部３ｆの形状は、先に説明したコーナー壁２Ｂの高さ、傾斜角度、板厚、段部２ｅの形状、フランジ部２ｆの形状等と同等に形成されている。
【００２１】
図５に示すように底板３Ａの内側には、底板３Ａの長辺と平行に補強リブ３ｈが９本、等間隔で形成されている。これらの補強リブ３ｈは、先の補強リブ２ｈと同等形状であり、底板３Ａの上面側に所定幅で突出するように形成され、底板３Ａの長辺よりも若干短く形成されている。
接続ユニット３の接合部３Ｄは、底板３Ａの両方の短辺側にそれぞれ段部３ｉを介し底板３Ａよりも底板３Ａの厚さ相当分、１段高い位置となるように延出形成された帯板状の接合板３ｊを有している。また、この接合板３ｊと接続壁３Ｂの交わる部分には接続壁３Ｂとフランジ部３ｆの形を維持したまま延出形成された接合壁３ｋが接合板３ｊと一体形成されている。
【００２２】
接合片４は、図６に示す帯板状の継板部４Ａと、この継板部４Ａの長さ方向両端部側に形成された側壁部４Ｂおよびフランジ部４ｆからなる継板片４Ｃとからなる。フランジ部４ｆの上面側には段部４ｅが形成されている。
接合片４の側壁部４Ｂおよびフランジ部４ｆの形状は、先に説明した接続ユニット３の側壁部３Ｂおよびフランジ部３ｆと同等形状にされている。このため、図７に示すように接合片４を接続ユニット３の接合部３Ｄの下面側に沿わせることで、接合片４の継板部４Ａを接続ユニット３の接合板３ｊの下面側に添わせ、側壁部４Ｂとフランジ部４ｆを接合壁３ｋの外面側に沿わせてこれらに密着することができる。
【００２３】
また、接合片４の側壁部４Ｂおよびフランジ部４ｆの形状は、先に説明した端部ユニット２の側壁部２Ｂおよびフランジ部２ｆと同等形状にされている。このため、接合片を端部ユニット２の接合部２Ｄの下面側に沿わせることで、接合片４の継板部４Ａを端部ユニット２の接合板２ｊの下面側に沿わせ、側壁部４Ｂとフランジ部４ｆを接合壁２ｋの外面側に沿わせて密着させることができる。接合片４の幅は、施工時の作業性と接合部の強度とを考慮し、１０〜３０ｃｍの範囲内が好ましい。
【００２４】
以上説明した構成の２つの端部ユニット２を図１（Ａ）に示すように両側に配置し、２つの端部ユニット２間に３つの接続ユニット３を配置し、左右に隣接する端部ユニット２の接合部２Ｄと接続ユニット３の接合部３Ｄをそれらの裏面側に接着した接合片４で接合し、左右に隣接する接続ユニット３の接合部３Ｄどうしをそれらの裏面側に接着した接合片４で接合することで栽培槽１が構成されている。
隣接する端部ユニット２と接続ユニット３において、底板２Ａと底板３Ａの突き合わせ部分、コーナー壁２Ｂと接続壁３Ｂの突き合わせ部分、フランジ部２ｆとフランジ部３ｆの突き合わせ部分には図２に示すように若干の隙間部ｄが形成されるが、この隙間部ｄはシリコン防水剤等の隙間埋め部材からなる防水層６により水密に塞がれている。また、左右に隣接する接続ユニット３、３において、底板３Ａどうしの突き合わせ部分、接続壁３Ｂどうしの突き合わせ部分、フランジ部３ｆどうしの突き合わせ部分も同様に隙間部ｄが形成されるが、それらの隙間部ｄも図２の構成と同様に防水層６により水密に塞がれている。
【００２５】
図１に示すように２つの端部ユニット２と３つの接続ユニット３を組み付けて一体化した栽培槽１は、植物工場等の屋内に設置されている多段式の棚に水平に設置して使用する。
図８は多段式の棚１０の一例を示し、この棚に複数の栽培槽１を設置し、各栽培槽１の上方にＬＥＤ照明装置１１を設置した状態を示す。
図８に示す棚１０は４段構成とされ、各段を構成する棚板部１０Ａに１つずつ栽培槽１が水平に設置されている。棚板部１０Ａは金属フレームからなる枠部材を組み付けて構成され、栽培槽１を水平支持している。
【００２６】
図８に示す栽培槽１の右端に給水管により栽培液を注入し、栽培槽１の内部に一定量の栽培液を貯留し、この栽培液の一部を排水口５から排水し、排水口５からの栽培液の排水を循環ポンプ等により給水槽や肥料槽と接続し、栽培液を循環できるように構成することが好ましい。
栽培槽１を構成している複数のユニット２、３のフランジ部２ｆ、３ｆにより、栽培槽１の両側に段部２ｅ、３ｅが連続形成されているので、これらの段部にかけ渡すように植物設置用の栽培容器棚を設置する。栽培容器棚にレタス等の植物を設置し、その根の部分を栽培槽１の栽培液に漬けるようにすることで、植物の栽培ができる。
栽培槽１の上部に設けたＬＥＤ照明装置１１を作動させて植物飼育用の光を必要量照射し、栽培光のコントロールを行いながら栽培容器棚において植物の栽培を行うことができる。
【００２７】
ＬＥＤ照明装置１１は、一例として、波長６６０ｎｍを中心波長とする発光ダイオード（赤色系）を備えた光源と波長４５０ｎｍを中心波長とする発光ダイオード（青色系）を備えた光源を併せて用いることができる。
また、これらの光源に加えて波長５２５ｎｍを中心波長とする発光ダイオード（緑色系）を併用してＬＥＤ照明装置１１を構成することもできる。
ＬＥＤ照明装置１１から栽培光を照射する場合、植物の栽培容器棚は不透明なので、栽培光を遮るが、その周囲に存在している栽培槽１のコーナー壁２Ｂ、端部壁２Ｃ、フランジ部２ｆ、接続壁３Ｂ、フランジ部３ｆなどが仮に透明樹脂から構成されていると、栽培槽１に収容している栽培液の内側まで栽培光が到達し、栽培槽１の底部側に藻が発生するおそれがある。このため、コーナー壁２Ｂ、端部壁２Ｃ、フランジ部２ｆ、接続壁３Ｂ、フランジ部３ｆ、接合片４を含めて栽培槽１の全体を不透明樹脂から構成することが好ましい。栽培槽１を不透明材料から構成することで、槽内における藻の発生を抑制し、栽培槽１の清掃を容易とすることができる。
【００２８】
本実施形態の栽培槽１において、端部ユニット２、２間に配置する接続ユニット３の数は任意に設定して良い。このため、図１（Ａ）に示す実施形態に比べ、接続ユニット３の数を２つ、または、１つとするならば、より小さい規模の栽培槽とすることができる。また、接続ユニット３の数を図１（Ａ）に示す実施形態に比べ多く設置するならば、より規模の大きい栽培槽とすることができる。また、端部ユニット２と接続ユニット３の長さも任意に設定して良い。端部ユニット２と接続ユニット３を同じ長さに形成しても良いし、端部ユニット２と接続ユニット３のどちらか一方を他方より長く形成しても良い。
【００２９】
本実施形態の栽培槽１は、端部ユニット２、２間に必要数の接続ユニット３を設置し、それらに接合片４を接着することにより簡単に組み立てることができる。
端部ユニット２と接続ユニット３の接合部分２Ｄ、３Ｄにおいては、それらの裏面側から接合片４を密着させて接着するので、上述の防水層６を設けることと相まって、強固な接合部分を有する栽培槽１を提供できる。
【００３０】
本実施形態の栽培槽１は、接合部２Ｄ、３Ｄにおいて、接合板２ｊ、３ｊを底板２Ａ、３Ａに対し段部２ｉ、３ｉを介し底板２Ａ、３Ａの厚さ分、一段高めて設けている。このため、図２に示すように接合片４の継板部４Ａを接合板２ｊ、３ｊの下面側に接着した場合、継板部４Ａの下面が端部ユニット２の底板２Ａ下面および接続ユニット３の底板３Ａ下面と面一になる。このため、栽培槽１の底面を平面にできるので、図８に示すように棚１０の棚板部１０Ａ上に栽培槽１を設置する場合、棚板部１０Ａに栽培槽１を密着させて栽培槽１を安定支持できる。
また、図２に示すように栽培槽１の内側において補強リブ２ｈ、３ｈの上面高さと接合板２ｊ、３ｊの上面高さ揃え、栽培槽１の底面側の高さをできるだけ均一に揃えた構成とするならば、槽内の底面側に段差や凹凸が少なく、清掃がし易い特徴を有する。
【００３１】
なお、以上説明した第１実施形態の構造は、端部ユニット２、２に加え、接続ユニット３を３つ接合した構造であるが、接続ユニット３を略し、端部ユニット２、２どうしを接合部２Ｄを介して突合せ、突き合わせた接合部２Ｄ、２Ｄに亘るように接合片４を接着した構成としても良い。この構成の場合、端部ユニット２、２と接合片４から植物栽培槽が構成される。
【００３２】
前記栽培槽１の構成において、端部ユニット２の底板２Ａあるいは接続ユニット３の底板３Ａを上に凸の形状とすることができる。
底板２Ａあるいは底板３Ａを上に凸の形状としておくならば、栽培槽１に栽培液を収容した時の水圧により、底板２Ａあるいは底板３Ａが下向きに変形した場合であっても、底板２Ａあるいは底板３Ａを平坦とすることができる。
【産業上の利用可能性】
【００３３】
本考案に係る植物栽培槽は、植物工場等に設置されてレタス等の水耕栽培を行う分野において広く利用可能である。
【符号の説明】
【００３４】
１…栽培槽、２…端部ユニット、２Ａ…底板、２Ｂ…コーナー壁、２Ｃ…端部壁、２Ｄ…接合部、２ｆ…フランジ部、２ｅ…段部、２ｈ…補強リブ、２ｉ…段部、２ｊ…接合板、２ｋ…接合壁、３…接続ユニット、３Ａ…底板、３Ｂ…接続壁、３Ｄ…接合部、３ｆ…フランジ部、３ｅ…段部、３ｈ…補強リブ、３ｉ…段部、３ｊ…接合板、３ｋ…接合壁、４…接続片、４Ａ…継板部、４Ｂ…側壁部、４ｅ…段部、４ｆ…フランジ部、５…排水口、６…防水層、１０…棚、１０Ａ…棚板部、１１…ＬＥＤ照明装置。
【図１】
0003188170.tif 000003
【図２】
0003188170.tif 000004
【図３】
0003188170.tif 000005
【図４】
0003188170.tif 000006
【図５】
0003188170.tif 000007
【図６】
0003188170.tif 000008
【図７】
0003188170.tif 000009
【図８】
0003188170.tif 000010